(57)【要約】【課題】冷媒の漏洩を効率よく検知できる空気調和機の室内機を提供する。【解決手段】空気よりも比重が大きな冷媒が通流する配管１３を有してなる熱交換器２と、前記熱交換器２の下に設置されたドレンパン５と、前記冷媒の漏洩を検知するセンサ５０と、を備え、前記ドレンパン５は、当該ドレンパン５の外周の所定箇所に形成された誘導部５４を有し、前記センサ５０は、前記誘導部５４が形成された側に配置されることを特徴とする空気調和機の室内機とする。【選択図】  図１
2016075435.tif 000002
【特許請求の範囲】
【請求項１】
空気よりも比重が大きな冷媒が通流する配管を有してなる熱交換器と、
前記熱交換器の下に設置されたドレンパンと、
前記冷媒の漏洩を検知するセンサと、を備え、
前記ドレンパンは、当該ドレンパンの外周の所定箇所に形成された誘導部を有し、
前記センサは、前記誘導部が形成された側に位置すること
を特徴とする空気調和機の室内機。
【請求項２】
前記熱交換器、前記ドレンパン、および前記センサを内部に有する筺体を備え、
前記センサは、前記ドレンパンの前記誘導部が形成された側と前記筺体との間に位置すること
を特徴とする請求項１に記載の空気調和機の室内機。
【請求項３】
前記センサは、前記誘導部よりも下方に位置すること
を特徴とする請求項１に記載の空気調和機の室内機。
【請求項４】
前記誘導部は、前記ドレンパンの外周に形成された側壁に、相対的に高さが低い側壁部分として形成されていることを特徴とする、請求項１ないし請求項３のいずれか１項に記載の空気調和機の室内機。
【請求項５】
前記誘導部は、前記ドレンパンの外周に形成された側壁に、部分的な切り欠きまたは貫通孔として形成されていることを特徴とする、請求項１ないし請求項３のいずれか１項に記載の空気調和機の室内機。
【請求項６】
前記熱交換器または前記配管で生成されるドレン水、および漏洩した前記冷媒を前記ドレンパンに誘導する仕切りをさらに備えていることを特徴とする、請求項１ないし請求項５のいずれか１項に記載の空気調和機の室内機。
【請求項７】
前記誘導部は、前記ドレンパンの外周に形成された側壁のうち、電気品が収納される電気品箱から離れた側に形成されていることを特徴とする、請求項１ないし請求項６のいずれか１項に記載の空気調和機の室内機。
【請求項８】
外部に空気を送り出す送風機と、
前記センサによって前記冷媒の漏洩が検知されると、前記送風機の運転を開始させる制御を行う制御装置と、
をさらに備えることを特徴とする、請求項１ないし請求項７のいずれか１項に記載の空気調和機の室内機。
【発明の詳細な説明】
【技術分野】
【０００１】
本発明は、空気調和機の室内機に関する。
【背景技術】
【０００２】
従来のヒートポンプ式空気調和機において、炭化水素などの強燃性の冷媒や、Ｒ３２などの燃焼性が小さい冷媒を用いる場合は、万が一冷媒が漏洩すると、外的要因の現出によっては燃焼性が問題となる濃度（以下、「下限燃焼限界ＬＦＬ」）に達する可能性がある。
【０００３】
そこで、ヒートポンプ式の空気調和機において、強燃性冷媒や燃焼性が小さい冷媒を用いる場合は、冷媒の漏洩を効率よく検知し、なるべく冷媒濃度が下限燃焼限界ＬＦＬにならないようにすることが考えられる。
【０００４】
例えば、特許文献１では、適用される燃焼性を有する冷媒が空気よりも比重が大きいことを利用して、床置型室内機の機械室下部の、ドレンパン近傍に、冷媒検知センサを設置することで、熱交換器および機械室からの冷媒漏洩を検知している。
【０００５】
そして、冷媒の漏洩を検知すると、室内送風機を運転し、漏洩した冷媒を拡散して下限燃焼限界ＬＦＬ以上の濃度になることを防止している。
【先行技術文献】
【特許文献】
【０００６】
【特許文献１】特開２００２−０９８３４６号公報
【発明の概要】
【発明が解決しようとする課題】
【０００７】
通常、冷媒が漏洩した際、漏洩した冷媒が通る箇所は、室内熱交換器とこの熱交換器を接続する配管が設置される空間のほか、室外熱交換器との接続配管が通る空間がある。
一方、冷媒が漏洩する原因としては、熱交換器では、外部雰囲気（水分・酸性分など）との腐食が考えられ、熱交換器を接続する配管が設置される空間では、前記腐食のほか、製造時の配管接続部ロウ付け不良によるものが考えられる。
【０００８】
上述した特許文献１の技術は、熱交換器から漏洩した冷媒をドレンパン近傍にセンサを配置させることにより漏洩を検知している。しかし、ドレンパンの形状およびセンサの配置位置によっては、効率よく冷媒の漏洩を検知できない場合がある。
【０００９】
そこで本発明は前記の課題に鑑みてなされたものであり、その目的は、冷媒の漏洩を効率よく検知できる空気調和機の室内機を提供することにある。
【課題を解決するための手段】
【００１０】
上記課題を解決するために、本発明は、空気よりも比重が大きな冷媒が通流する配管を有してなる熱交換器と、前記熱交換器の下に設置されたドレンパンと、前記冷媒の漏洩を検知するセンサと、を備え、前記ドレンパンは、当該ドレンパンの外周の所定箇所に形成された誘導部を有し、前記センサは、前記誘導部が形成された側に配置されることを特徴とする空気調和機の室内機とする。
【発明の効果】
【００１１】
本発明によれば、冷媒の漏洩を効率よく検知できる空気調和機の室内機を提供できる。
【図面の簡単な説明】
【００１２】
【図１】第１実施形態に係わる空気調和機の室内機を、正面方向から見た透視図であり、室外機を含めた全体を説明する図である。
【図２】第１実施形態に係わる空気調和機の室内機内のドレンパンを左寄りの正面上方から見た斜視図である。
【図３】図３（ａ），図３（ｂ）ともに、第１実施形態の変形例に係わる空気調和機の室内機内のドレンパンを左寄りの正面上方から見た斜視図である。
【図４】第１実施形態に係わる空気調和機の室内機が運転停止中である場合の、室内機の機械室を構成する仕切りから左側を見た際の断面図である。
【図５】第２実施形態に係わる空気調和機の室内機内のドレンパンを左寄りの正面上方から見た斜視図である。
【図６】第２実施形態の変形例に係わる空気調和機の室内機内のドレンパンを左寄りの正面上方から見た斜視図である。
【図７】第３実施形態に係わる空気調和機の室内機内のドレンパンを左寄りの正面上方から見た斜視図である。
【発明を実施するための形態】
【００１３】
以下、本発明の第１実施形態に係わる空気調和機の室内機について、詳細に説明する。
以下で特に断りなく冷媒または冷凍サイクルと言った場合、冷却または加熱、もしくはその両方で使用可能な冷媒または冷凍サイクルを指すものとする。
また、説明の便宜上、各図面で共通する部材には同一の符号を付して、重複する説明を省略する。正面背面上下左右の方向軸については、各図の記載によるものとする。
なお、本発明の第１実施形態に係わる空気調和機の室内機１は、圧縮機、室外熱交換器、室外送風機、四方弁、膨張弁を備える室外機１７と、配管１３などを介して接続される。この室内機１は、図１や図４などに示す、室内の床上に取り付けられる床置き型のものであり、配管１３などを介して接続して冷媒を循環させることで、室内の空調を可能にするものである。
【００１４】
（第１実施形態）
図１は、第１実施形態に係わる空気調和機の室内機１を、正面方向から見た透視図であり、室外機を含めた全体を説明する図である。但し、以下の図１〜図４において、図を簡略化して分かりやすく描くために、おのおので要素部品の記載を一部省略している場合がある。
【００１５】
図１に示すように、第１実施形態に係わる空気調和機の室内機１（床置き型）の筺体の内部には、熱交換器２と、熱交換器２の側面に接続された配管１３と、が収納されている。また、機械室４が設けられるとともに、熱交換器２の下に少なくとも熱交換器２の幅に広がるように設置されたドレンパン５と、冷媒の漏洩検知センサ５０と、が収納されている。また、室内機１には送風機２０（後記する図４参照）、左右風向板１１，１２、上下風向板２２，２３（同図４参照）が備えられている。送風機２０を回転させることにより、空気流路１５（同図４参照）に空気が導入され、左右風向板１１，１２、上下風向板２２，２３で吹き出される空気の方向が制御されて、吹き出し口１８から空気が吹き出される。
【００１６】
機械室４は、例えば室内機１の右端に設けられ、制御回路などが納められている電気品箱１０、熱交換器２の側面に接続された配管１３などを収容するためのスペース部である。
なお、第１実施形態では機械室４を室内機１の右端に設ける場合で示したが、左端に設けてもよく、また、両端に設ける構成であってもよい。
【００１７】
ドレンパン５（詳細後記）は、前記熱交換器２が蒸発器として作用する際に発生する水分を受けるもので、溜まった水分は、ドレン配管１４を介して、屋外へ排出される。
【００１８】
ここで、配管１３、およびドレン配管１４は、取り回し性を考慮すれば、例えば可撓性のあるホースやチューブで構成されているのが望ましいが、これに限定されるものではない。例えば、室内機１が業務用の大型機であるような場合には、これらを金属製のパイプで構成するようにしてもよい。さらには、これらホース、パイプ、チューブが、混在する構成であってもよい。
【００１９】
ここで、配管１３は空気調和機の室内機１の運転中に燃焼性を有する冷媒が内部を流れ、熱交換器２に満遍なく冷媒が行き渡るように接続された配管である。
【００２０】
また、機械室４は、仕切り３によって他の空間と仕切られている。この仕切り３は、例えば配管１３が冷房運転時に露点温度以下になることにより、配管１３の表面に生成されたドレン水が電気品箱１０に伝わらないようにするものである。
また、仕切り３は、上端部が電気品箱１０の方に屈曲するとともに、下端部がドレンパン５の皿の内部の方に屈曲する形状を呈している。このような形状とすることで、ドレン水が電気品箱１０に到達しないようにするとともに、ドレン水を確実にドレンパン５の受け皿（詳細後記）の内部に誘導することができる。
なお、仕切り３は図１では模式図のため簡単に示しているが、実際には複数の部品により構成したり、他の要素部品と共用の部材を用いたりしてもよい。
【００２１】
電気品箱１０の内部には、制御装置１００の制御回路を含む電気品が納められている。ここで、電気品箱１０の設置場所に関しては特に限定されない。
例えば、第１実施形態のような床置き型の室内機１の場合は、電気品箱１０の電気品のメンテナンス性を良くするために、機械室４の上部に電気品箱１０を設けてもよい。このようにすると、屈まなくてもユーザの視認性を向上できるので、好適であるといえる。
また、使用する冷媒の比重が空気よりも重い場合は機械室４の上部に、反対に冷媒の比重が空気よりも軽い場合は機械室４の下部に、それぞれ電気品箱１０を設置する方法も考えられる。このようにすると、万が一冷媒が漏洩しても、冷媒が溜まりにくい場所に電気品箱１０が設置されていることとなり、安全性を高めることができる。
なお、以下では、空気よりも比重が重い冷媒を使用する場合を例に挙げて説明を続ける。
【００２２】
ところで、前記したように、熱交換器２と配管１３の内部を冷媒が流れる際に、熱交換器２と配管１３との接続部の劣化や破損などによって、冷媒が室内機１の内部に漏洩する場合がある。
【００２３】
その際、空気より比重が重い冷媒として、例えば燃焼性の小さい単一冷媒であるＲ３２、Ｒ１２３４ｙｆ、およびＲ１２３４ｚｅ、またはこれらを主成分とする混合冷媒を使用する場合には、漏洩した冷媒は重力方向に移動することになる。
【００２４】
ゆえに、熱交換器２および配管１３から冷媒が漏洩すると、前記した仕切り３によって、ドレン水のみならず、漏洩した冷媒もドレンパン５の内部に誘導され滞留するようにされている。
【００２５】
次に、図２に、第１実施形態に係わる空気調和機の室内機内のドレンパンを左寄りの正面上方から見た斜視図を示す。ドレンパン５は、熱交換器２や配管１３で生成されたドレン水や、熱交換器２や配管１３などから漏れた冷媒を受けて、ドレン水または冷媒が室内機１の外部へ流出しないよう、外周が例えば壁（側壁５２）で囲まれるように形成された有底の皿形状を呈してなる。つまり、ドレンパン５はドレン水または漏洩した冷媒を受ける凹部５３を有している。なお、図２において、凹部５３で受ける冷媒の量が最大量（つまり、溢れる寸前）に達したときの仮想的な冷媒（蒸気）の表面を二点鎖線およびハッチングで示している。
【００２６】
さらに、本発明の実施形態のドレンパン５は、その外周に側壁５２を備えるが、左側（一方）の側壁５２Ｌの高さが、右側（他方）の側壁５２Ｒ（さらには他の側壁５２Ｂ，５２Ｆ）の高さに比べて寸法ｈ分だけ相対的に低くなるようにされた、漏洩冷媒の誘導部５４を有している。以上を換言すると、本発明の実施形態に係わるドレンパン５は、当該ドレンパン５の外周の所定箇所に形成された誘導部５４を有している。そして、誘導部５４の先に漏洩検知センサ５０を設置している。冷媒が漏洩する可能性のある場所は広範であるが、冷媒（蒸気）を一旦ドレンパン５で受け、しかも、漏洩検知センサ５０が設置された側（ドレンパン５の左側）から冷媒をドレンパン５の外に誘導することで（ドレンパン５から冷媒を漏洩検知センサ５０の方に溢流させることで）、漏洩検知センサ５０の数を減らしても効率よく冷媒の漏洩を検出することができる。なお、漏洩した冷媒が誘導部５４からドレンパン５の外に誘導されて（誘導部５４から溢流して）、漏洩検知センサ５０によって検知される様子を実線矢印で模式的に図示している。このことは、他の側壁５２の高さを寸法ｈ分だけ相対的に高くしても同じである。また、側壁５２の高さを減ずる寸法ｈを大きくして、例えば左側（一方）に側壁５２Ｌを設けない構造にしてもよい（詳細を第３実施形態で後記）。
【００２７】
ちなみに、図１の例では、電気品箱１０から遠い側として、ドレンパン５の左側を誘導部５４としているが、電気品箱１０に近くなるものの、ドレンパン５の右側を誘導部５４として漏洩検知センサ５０を右側に設けるようにしてもよい。なお、ドレンパン５の正面側の側壁５２Ｆか背面側の側壁５２Ｂいずれかの高さを低くすることで正面側か背面側を誘導部５４とすることもできる。しかし、図１と後記する図４を参照して理解されるように、ドレンパン５の側壁５２Ｌ，５２Ｒ，５２Ｆ，５２Ｂの長さは、左右の側面側の側壁５２Ｌ，５２Ｒの方が正面側や背面側の側壁５２Ｆ，５２Ｂよりも短いため、図１のように、側面側に誘導部５４を設ける方がより効率よく漏洩を検知することができる。
【００２８】
ここで、寸法ｈは、ドレンパン５で受けるドレン水の容量なども考慮して適宜設定される。ちなみに、寸法ｈが大きくなるとドレンパン５で受けることができるドレン水の量は少なくなるが、漏洩した冷媒がドレンパン５からオーバフローして漏洩検知センサ５０に誘導される時間は短くなる。
【００２９】
なお、漏洩検知センサ５０は誘導部５４からドレンパン５の外に誘導された冷媒（蒸気）の流路上（誘導先）に設置されるが、冷媒の比重が空気よりも大きいことを考慮して、漏洩検知センサ５０の設置場所が決定される。また、図２では、漏洩検知センサ５０を１つ設けた例を示しているが、複数設けるようにしてもよい。また、例えば、誘導部５４となる側壁５２の外側に下り勾配となる樋を設け、冷媒が樋を伝わって下った先に漏洩検知センサ５０を設けるようにしてもよい。ちなみに、本実施形態では、所定箇所は、ドレンパン５の外周のうち、冷媒検知センサ３が設置されている側、換言すると、機械室４から遠い側である。
【００３０】
図３（ａ）、図３（ｂ）に、第１実施形態の変形例に係わる空気調和機の室内機内のドレンパンの変形例を示す。図３（ａ）、図３（ｂ）についても、ドレンパン５はドレン水または漏洩した冷媒を受ける凹部５３を有している。そして、ドレンパン５は、当該ドレンパン５の外周の所定箇所に形成された誘導部５４を有している。また、漏洩した冷媒が誘導部５４からドレンパン５の外に誘導されて、漏洩検知センサ５０によって検知される様子を実線矢印で模式的に図示している。ここで、図３（ａ）について、ドレンパン５は、誘導部５４となる側（漏洩検知センサ５０が設置される側の側壁５２Ｌの上部が水平となるように室内機１に設置されていてもよいし、当該側壁５２Ｌの上部が正面側へ下る下り勾配となるように室内機１に設置されていてもよい。すなわち、ドレンパン５の側壁５２または底部は、傾斜していてもよい。例えば、後者のように、側壁５２Ｌの上部が正面側へ下る下り勾配となるように設置されていれば、漏洩した冷媒は、正面側（漏洩検知センサ５０が設置された側）の角からドレンパン５の外に誘導される。図３（ｂ）についても同様であるので、説明を省略する。
【００３１】
なお、図１や図２などに示すドレンパン５の側壁５２は、鉛直方向（上方）に真っ直ぐ起立しているが、上方に広がるように起立する側壁５２、つまりドレンパンの下部よりも上部の方が開口面積が広がるような側壁５２でもよい。
【００３２】
漏洩検知センサ５０は、漏洩した冷媒の気体濃度、または冷媒が漏洩することで相対的に減少する気体成分（例えば酸素）の濃度を監視している。そして、冷媒の気体濃度が例えば所定のしきい値に達した場合に、制御装置１００へ信号を送る。
【００３３】
つまり、漏洩検知センサ５０は、気化した冷媒ガス、あるいは空気中に含まれる酸素ガスを検知するガスセンサで構成されているものとする。
【００３４】
なお、空気中の酸素濃度を計測する場合は、酸素濃度が低下した分が、略冷媒漏洩によって薄められた分であると近似することができる。つまり、酸素濃度と漏洩冷媒濃度には負の相関関係が認められるので、酸素濃度を計測することで、間接的に漏洩した冷媒濃度を検出することができる。
【００３５】
また、この漏洩検知センサ５０は、設置後には、電源がオフのときも含めて常時監視し続けることが望まれるため、本体とは別の電源装置（例えばリチウム電池など）を併用する構成であってもよい。
【００３６】
また、ガスセンサである漏洩検知センサ５０は、経年劣化する場合がある。そのため、脱着交換が容易にできるように、筐体に漏洩検知センサ５０の取り出し用の取っ手や引き出しを設けて、カートリッジのように簡単に脱着できる構造とすることが望ましい。
【００３７】
なお、漏洩検知センサ５０の設置位置に関しては、第１実施形態では、図１、図２に示すように、ドレンパン５の近傍（誘導部５４の傍）に一箇所設けられているが、前記のように複数個所に設けるようにしてもよい。ちなみに、漏洩検知センサ５０は、前記したドレンパン５の誘導部５４が形成された側と室内機１の筺体との間、かつ、誘導部５４の下方に位置している。
【００３８】
図４は、第１実施形態に係わる空気調和機の室内機１を、機械室を構成する仕切りから左側を見た際の断面図である。なお、熱交換器２の下部に本発明の第１実施形態を適用したドレンパン５および漏洩検知センサ５０を示してある。ちなみに、漏洩検知センサ５０は、実際にはドレンパン５の左右の側壁５２Ｌ，５２Ｒによって見えないため、図示の位置はおおよその透視位置である。
室内機１には送風機２０、左右風向板１１，１２、および上下風向板２２，２３が備えられている。図４に示すような左右風向板１１，１２、または上下風向板２２，２３が閉じられている状態（運転停止中など）で、冷媒が漏洩した場合には、これらすべての風向板を開き、送風機２０を回転させて、漏洩した冷媒を拡散させて排出し、室内側へ排出する際の冷媒の濃度を薄めるようにしてもよい。但し、冷媒漏洩時の運転状態は特にこれには限定されない。
（作用・効果）
【００３９】
本発明の第１実施形態のドレンパン５は、右側または左側の側壁５２Ｌ，５２Ｒの一方の高さが（図１などの例では左側の側壁５２Ｌの高さが）、他方の高さに比べて寸法ｈ分だけ相対的に異なるように（図１の例では低く）された誘導部５４を有している。換言すると、誘導部５４はドレンパン５の外周に形成された側壁５２に相対的に高さが低い側壁５２の部分として形成されている。このように側壁５２の高さを相対的に異ならせることで、漏洩した冷媒の量がドレンパン５で受けきれない量となったときに、冷媒の溢れる箇所を高さが他の側壁５２よりも相対的に低い側壁５２Ｌとすることができる。
そして、相対的に低い側壁５２Ｌからドレンパン５の外に冷媒を誘導し、その先に漏洩検知センサ５０を配置することによって、確実に漏洩した冷媒の検知が可能な空気調和機の室内機１を提供することができる。
これにより、漏洩した冷媒の効率的かつ高精度な検知が可能となるので、例えば漏洩検知センサ５０の設置個数を減らし、製造コストを下げたり、空気調和機の室内機１を製造する際の作業工数を削減したりすることができる。
【００４０】
また、冷媒の漏洩検知センサ５０が、冷媒の漏洩を検知した際には、例えば、制御装置１００がすべての風向板を開き、送風機２０を回転させて、漏洩した冷媒を拡散させて排出させるようにする。このようにすることで、室内側へ排出される冷媒の濃度を薄めることができる。
【００４１】
なお、上記の第１実施形態に用いられる具体的な冷媒の候補としては、空気より比重が重く、拡散しづらく室内機１の内部に滞留しやすい冷媒、例えば、燃焼性の小さい冷媒として、前記したように、Ｒ３２やＲ１２３４ｙｆなどの単一冷媒、またはそれらを主成分とする混合冷媒などを用いることができる。また、同様に空気より比重が重い冷媒として、Ｒ２９０やＲ６００ａなどの単一冷媒、またはそれらを主成分とする混合冷媒を用いてもよい。
【００４２】
（第２実施形態）
図５は、第２実施形態に係わる空気調和機の室内機のドレンパンの斜視図である。なお、図５は第１実施形態の図２に相当する図である。なお、第１実施形態と同様の構成については、同一の符号を付して重複した説明を省略する。また、以下の図５〜図６において、図の簡略化のために、おのおので要素部品の記載を一部省略している場合がある。
【００４３】
第１実施形態のドレンパン５は、右側または左側の側壁５２Ｌ，５２Ｒの一方の高さが（図１などの例では左側）、他方の高さに比べて寸法ｈ分だけ相対的に異なる（図１などの例で低くなる）ようにされていた。これに対して、第２実施形態のドレンパン５は、側壁５２の高さはすべての側壁５２において等しくされているものの、右側または左側いずれか一方の側壁５２Ｌ，５２Ｒの一部に切り欠き５４Ａが設けられ、他の側壁５２より部分的に低い部分を有している点が異なっている。それ以外の部分、例えばドレンパン５は、ドレン水または漏洩した冷媒を受ける凹部５３を有する点は第１実施形態と同様である。また、漏洩検知センサ５０の設置位置など、ドレンパン５以外のその他の構成については第１実施形態と同様である。
【００４４】
つまり、図５に示すように、ドレンパン５の側壁５２自体の高さはどこも同じ高さとなっているが、切り欠き５４Ａを例えば左側の側壁５２Ｌに設けることにより、部分的に他の側壁５２よりも低い部分を有するようにして形成されている。
【００４５】
このようにしても、第１実施形態と同様の効果を奏することができる。つまり、漏洩した冷媒をドレンパン５で所定量受けたときには、冷媒が溢れる箇所を側壁５２のうち部分的に低くされている切り欠き５４Ａの部分とし、冷媒をドレンパン５の外に誘導できる。この場合、切り欠き５４Ａが誘導部５４となる（切り欠き５４Ａが深く切り欠いてあるほど、ドレンパン５の外への誘導は早くなる）。つまり、本実施形態においても、ドレンパン５は、当該ドレンパン５の外周の所定箇所に形成された誘導部５４を有している。なお、漏洩した冷媒が誘導部５４からドレンパン５の外に誘導されて、漏洩検知センサ５０によって検知される様子を実線矢印で模式的に図示している。
つまり、第２実施形態では冷媒が最初にドレンパン５から溢れ始める箇所を、切り欠き５４Ａが形成されている誘導部５４の部分に絞り込むことができる。これにより、漏洩検知センサ５０も切り欠き５４Ａの近傍、より好適にはドレンパン５の外側で切り欠き５４Ａの下部周辺に配置するようにすればよい。
【００４６】
なお、図５では切り欠き５４Ａを略半円弧形状として描いているが、直線で構成される形状、具体的には略四角形状や略Ｖ字形状となるように形成しても構わない。また、楕円形状でもよいし、上の方が狭い形状でもよい。つまり、切り欠き５４Ａの形状は特に限定されない。なお、切り欠き５４Ａが例えば左側の側壁５２Ｌ全面にわたって略四角形状で形成される場合には、第１実施形態の誘導部５４と同視することができる。つまり、第１実施形態の誘導部５４である側壁５２の相対的に低い部分が、第２実施形態の切り欠き５４Ａによって形成されているものとみなすこともできる。
【００４７】
なお、図５では切り欠き５４Ａ、および漏洩検知センサ５０を、室内機１のドレンパン５の左側の側壁５２Ｌに設けているが、これらはドレンパン５の右側の側壁５２Ｒに設けるようにしてもよい。切り欠き５４Ａ、および漏洩検知センサ５０の配置に関しては特に限定するものではない。また、図５に二点鎖線で示すように、ドレンパン５の正面側に誘導部５４としての切り欠き５４Ａを設けるようにしてもよい。
但し、いずれの位置に配置したとしても、漏洩検知センサ５０のドレンパン５との相対的な位置関係に関しては、ドレンパン５の外側であって冷媒が溢れる箇所の近傍、より好適には誘導された冷媒の流路上（誘導先）に漏洩検知センサ５０を設置するようにするとよい。
【００４８】
また、第２実施形態の誘導部５４である切り欠き５４Ａの変形例として、例えば図６に示すように、側壁５２を貫通する貫通孔５４Ｂが形成された誘導部５４であってもよい。この場合も、ドレンパン５はドレン水または漏洩した冷媒を受ける凹部５３を有している。そして、ドレンパン５は当該ドレンパン５の外周の所定箇所に形成された誘導部５４を有している。本変形例では、ドレンパン５は、右側または左側いずれか一方の側壁５２Ｌ，５２Ｒの一部に貫通孔５４Ｂが設けられ、他の側壁５２より部分的に低い部分を有するように形成されている。そして、漏洩検知センサ５０は、貫通孔５４Ｂの下に設けるようにすればよい。なお、漏洩した冷媒が誘導部５４からドレンパン５の外に誘導されて、漏洩検知センサ５０によって検知される様子を実線矢印で模式的に図示している。このとき、貫通孔５４Ｂの形状は特に限定されず、例えば略矩形の窓形状であってもよいし、円形状であってもよいし、三角形状であってもよい。このようにしても、第１実施形態、第２実施形態と同様の効果を奏することができる。また、図６に二点鎖線で示すように、ドレンパン５の正面側に誘導部５４としての貫通孔５４Ｂを設けるようにしてもよい。また、貫通孔５４Ｂが網やパンチングメタルで覆われていてもよい。
【００４９】
なお、前記したとおり、図５と図６ではドレンパン５の正面側に、誘導部５４としての切り欠き５４Ａや貫通孔５４Ｂを設ける例を二点鎖線で示したが、これらを背面側に設けてもよいことは言うまでもない。ちなみに、誘導部５４が設けられる所定箇所は１箇所として説明しているが、複数個所でもよい。ただし、所定箇所の数が少ない方が漏洩検知センサ５０の数も少なく済むので好ましい。また、所定箇所の場所は、ドレンパン５の外周のうち、機械室４から遠い側として説明しているが、近い側としてもよい。
【００５０】
（第３実施形態）
図７は、第３実施形態に係わる空気調和機の室内機のドレンパンの斜視図である。なお、図７は第１実施形態の図２に相当する図である。なお、凹部５３で受ける冷媒の量が最大量に達したときの仮想的な冷媒（蒸気）の表面を二点鎖線およびハッチングで示している。また、第１実施形態と同様の構成については、同一の符号を付して重複した説明を省略する。また、図の簡略化のために要素部品の記載を一部省略している場合がある。
【００５１】
第３実施形態のドレンパン５は、第１実施形態のドレンパン５と比較すると、左側の側壁５２Ｌを備えていない。しかし、本実施形態のドレンパン５は、第一実施形態のドレンパン５と同様にして、ドレン水または漏洩した冷媒を受ける凹部５３を備えている。このドレンパン５は、例えば第１実施形態のドレンパン５の左側の側壁５２Ｌの高さを減ずる寸法ｈ分を、側壁５２Ｌ自体の高さと一致するまで大きくすることで実現される。
なお、この場合には、凹部５３がドレン水または漏洩した冷媒を所定量受けられるように、例えばドレンパン５の底部を適宜傾斜させるなどして設置することが望ましい。
【００５２】
このようにしても、第１実施形態と同様の効果を奏することができる。つまり、漏洩した冷媒をドレンパン５で所定量受けたときには、溢れる冷媒を、側壁５２を部分的に低くすることで形成される誘導部５４からドレンパン５の外に誘導できる。つまり、ドレンパン５は、当該ドレンパン５の外周の所定箇所に形成された誘導部５４を有している。そして、漏洩検知センサ５０を、誘導部５４の側であって、例えば誘導部５４の設置高さよりも下方となる位置に設置すればよい。なお、漏洩した冷媒が誘導部５４からドレンパン５の外に誘導されて、漏洩検知センサ５０によって検知される様子を実線矢印で模式的に図示している。
【００５３】
さらには、第３実施形態の更なる変形例として、ドレンパン５は、外周を有する有底の凹部５３を備えさえすれば、側壁５２はなくてもよい。つまり、この場合にはドレンパン５を傾けて設置するなどして、ドレンパン５の外周の所定箇所に誘導部５４を形成させる。そして、漏洩検知センサ５０を、誘導部５４の側であって、例えば誘導部５４の設置高さよりも下方となる位置に設置するようにすればよい。
【００５４】
上記した第１実施形態、第２実施形態、第３実施形態および変形例は、本発明を分かりやすくするために詳細に説明したものであり、必ずしも、説明した全ての構成を備えるものに限定されるものではない。
【００５５】
また、ある実施形態または変形例の構成の一部を他の実施形態または変形例の構成に置き換えることが可能であり、また、ある実施形態または変形例の構成に、他の実施形態または変形例の構成の一部もしくは全てを加えることも可能である。
また、各実施形態または変形例の構成の一部について、他の構成の追加・削除・置換をすることが可能である。
【００５６】
例えば、本発明の各実施形態は床置き型の室内機１を例に挙げて説明したが、本発明の各実施形態は、壁掛け型の室内機１に適用してもよい。
【００５７】
また、例えば本発明の各実施形態、および変形例で説明したドレンパン５は、右側または左側の側壁５２Ｌ，５２Ｒの高さを相対的に異ならせるようにする場合を例に挙げて説明したが、正面側または背面側の側壁５２Ｆ，５２Ｂの高さを相対的に異ならせるようにしてもよい。
【００５８】
また、ドレンパン５は、第１実施形態の誘導部５４と第２実施形態の誘導部５４とを併せて備え、それぞれの誘導部５４に誘導された冷媒の流路上に、漏洩検知センサ５０がそれぞれ配置される構成であってもよい。また、誘導部５４が形成される側壁５２は一つに限定されず、複数の側壁５２に誘導部５４を備えるようにしてもよい。
【００５９】
また、第３実施形態の図７で説明したドレンパン５の底部の傾斜角度を調整することによって、例えば右側の側壁５２Ｒと正面側の側壁５２Ｆとが接続される角部にも誘導部５４を形成できる。このようにして形成された誘導部５４の側の下方に、漏洩検知センサ５０をさらに備えてもよい。また、第３実施形態（図７参照）を含め、ドレンパン５はいずれも外周に側壁５２を有する例を示したが、傘を上下反転させたような形状を呈して、外周に側壁５２を有さないドレンパンにも本発明を適用することができるのは言うまでもない。
【符号の説明】
【００６０】
１      室内機
２      熱交換器
３      仕切り
４      機械室
５      ドレンパン
１０    電気品箱
１１，１２  左右風向板（風向板）
１３    配管
１４    ドレン配管
１５    空気流路
１７    室外機
１８    吹き出し口
２０    送風機
２２，２３  上下風向板（風向板）
５０  漏洩検知センサ（センサ）
５２，５２Ｌ，５２Ｒ，５２Ｆ，５２Ｂ  側壁（外周）
５３    凹部
５４    誘導部
５４Ａ    切り欠き（誘導部）
５４Ｂ    貫通孔（誘導部）
１００  制御装置
【図１】
2016075435.tif 000003
【図２】
2016075435.tif 000004
【図３】
2016075435.tif 000005
【図４】
2016075435.tif 000006
【図５】
2016075435.tif 000007
【図６】
2016075435.tif 000008
【図７】
2016075435.tif 000009